(57)【要約】      （修正有）【課題】内部要素を速やかに組み立てることができ、かつ部品が損傷したときには速やかに取り外して修理できる自動式ペンシル芯モジュールを提供する。【解決手段】自動式ペンシル芯モジュールが押圧式ペンシルシャンク内で組み立てられ、その中のペンシル芯が筆記にあたって押圧の操作により外部へ延伸できる。主として円筒状接続パイプがねじ部を有し底部パイプ内にロックされ、これによりスプリング、銅バンチング部材、移動可能な爪部機構およびダンパー等をその中で速やかに組み立てることができるので、前記接続パイプに接続されるペンシル芯パイプを操作して押し下げることができ、これにより筆記にあたって前記ペンシル芯を前記ダンパーから延伸できることを特徴とする。【選択図】図２
0003135215.tif 000002
【実用新案登録請求の範囲】
【請求項１】
押圧式ペンシル シャンク内で組み立てられ、筆記に際して押圧により外部へ延伸されるのに適応した自動式ペンシル芯モジュールであって、該ペンシル芯モジュールは、
その中に多数のペンシル芯９１を収容し、かつその中に円錐形通路を有する縮径部１３をその底部に形成するペンシル芯パイプ１０と、
そこを通過してペンシル芯を延伸させるための通路２１を有する移動可能な爪部機構２０であって、その上部に該ペンシル芯パイプ１０の該縮径部１３の底部内へ延伸させるために固定パイプ２２が形成され、かつその下部に爪部２３が複数の爪部フィンガーを含むことと、
円筒状パイプであり，その底部に縮径外側ねじ部を形成する接続パイプ３０であって、その底部先端部に銅バンチング部材３２を設け、該銅バンチング部材を使用して該移動可能な爪部機構の該爪部を束にし、かつスプリング３４を収容するためにその中に段付き当接部３３を含むように該接続パイプ３０が形成されることと、
該接続パイプ３０の該縮径外側ねじ部３１に係合する内側ねじ４１をその上方部に有する底部パイプ４０であって、かつその底部先端部がダンパー４２とともに組み立てられ、該ダンパー４２内の通路２１が該ペンシル芯９１にしっかりと固定されて嵌合することとから構成され、
該接続パイプ３０と該底部パイプ４０が該押圧式ペンシルシャンク９０内で組み立てられ、該ペンシル芯パイプ１０の該縮径部１３が該接続パイプ３０の上部領域内へ延伸され該スプリング３４の上部先端部に当接し、該ペンシル芯パイプ１０を押し下げると、該スプリング３４を圧縮させて該移動可能な爪部機構２０の該爪部を該銅バンチング部材３２を基準にして降下させ, これにより該爪部２３の該爪部フィンガーが拡開し、一方該ペンシル芯パイプ１０内の該ペンシル芯９１が該ダンパー４２内の該通路４３へ落ち込み保持され、該ペンシル芯パイプ１０にかかる下向き押圧力が解放されると、該スプリングの復帰力により該ペンシル芯パイプ１０が該移動可能な爪部機構２０を上方へ戻させ、該ペンシル芯パイプ１０を複数回押し下げることにより、筆記に際して該ペンシル芯９１が該ダンパー４２の底部先端部から延伸されることを特徴とする自動式ペンシル芯モジュール。
【請求項２】
前記ペンシル芯パイプ１０にはその上部先端部にゴムプラグ５０が設けられ、該上部先端部に設けられるその開口を密封することを特徴とする、請求項１に記載の自動式ペンシル芯モジュール。
【請求項３】
前記ゴムプラグ５０を覆うために前記ペンシル芯パイプ１０の前記ゴムプラグ５０にトップカバー６０を備えることを特徴とする、請求項２に記載の自動式ペンシル芯モジュール。
【考案の詳細な説明】
【技術分野】
【０００１】
本考案は、自動式ペンシル芯モジュール、特に使用する押圧式ペンシルシャンク内で速やかに組み立て装填できる自動式ペンシル芯モジュールに関する。
【背景技術】
【０００２】
従来技術において、公報番号  Ｒ.Ｏ.Ｃ.４９８，８６０号、発明の名称が「モジュール化自動式ペンシル構造体(翻訳)」なる特許が開示されており、これは、モジュール化自動式ペンシル構造体がモジュール化された後、押圧式ペンシルシャンク内に取り付けることができ、これにより自動式ペンシル芯モジュールから切り離して押圧式ペンシルシャンクの生産を可能にし、生産の効率および多様化を向上させる。
【０００３】
このようなモジュール化構造体には、段付き中空パイプである本体２があり、前記本体２の片方端は外部へ延伸する筆記先端部２１であり、中空ダンパー２１５とともにその中に埋め込まれかつリレーチューブ２１６とともにその中に埋め込まれる開放先端部を有し、前記本体２の他端は押圧先端部２３を有し、かつペンシル芯を収容することができる前記本体２内のペンシル芯パイプ２５は前記押圧先端部２３と滑り接続する先端部を有し連結機能を形成し、他端には前記筆記先端部２１と隣接する片側にペンシル芯を繰り出すための繰り出し装置２６を設ける。押圧式ペン３のペンシルシャンク３１内に前記本体２を装填することにより、前記筆記先端部２１を前記ペンシルシャンク３１の筆記領域内に収容することができることとし、一方前記押圧先端部２３は前記ペンシルシャンク３１の押圧領域３３内に係合され、前記ペンシルシャンク３１の前記押圧領域３３を押圧すると、前記本体２の前記押圧先端部２３が前記ペンシル芯パイプ２５を前記繰り出し装置２６と同時的に作用させて、リレーチューブ２１６を介して前記繰り出し装置２６により前記ペンシル芯パイプ２５内の前記ペンシル芯の繰り出しを行い、かつ前記ペンシル芯を前記ダンパー２１５により把持して、前記ペンシル芯の一部を前記ペンシルシャンク３１の前記筆記領域に露出させる。
【０００４】
このようなモジュールにおいて、前記繰り出し装置２６は、前記ペンシル芯パイプ２５内に埋め込まれ、かつそこを通過して前記ペンシル芯を延伸可能にさせる当接パイプ２８と、前記ペンシル芯パイプ２５の片方端の上を滑る弾性復帰要素２９と、前記当接パイプ２８と前記筆記先端部２１間に固定されかつ開口を有する銅バンチング部材ベースシート２１０と、前記銅バンチング部材ベースシート２１０の開口内に移動可能に係合される銅バンチング部材２１１、前記銅バンチング部材２１１を通って延伸しかつその中に収容される移動可能な爪部 ２１３であって、前記移動可能な爪部２１３の他端が前記ペンシル芯パイプ２５の開放先端部に係合されかつ前記当接パイプ２８と接続することを目的とすることを含む。前記ペンシル芯パイプ２５に外力をかけると、前記弾性復帰要素２９を圧縮させて前記当接パイプ２８、前記移動可能な爪部２１３並びに前記銅バンチング部材２１１を押圧してずれを生じさせ、前記銅バンチング部材２１１が前記本体２の内壁に接触すると移動が止まり、一方前記移動可能な爪部２１３が引き続きずれかつ拡開するので、前記ペンシル芯を繰り出すことができる。
【特許文献１】Ｒ.Ｏ.Ｃ.４９８，８６０号
【考案の開示】
【考案が解決しようとする課題】
【０００５】
しかし、このような構造体において、前記本体２が段付き中空パイプであるために、前記当接パイプ２８、前記弾性復帰要素２９、前記銅バンチング部材ベースシート２１０、前記銅バンチング部材２１１、前記移動可能な爪部２１３および前記ダンパー２１５等がきわめて組み立てしにくく、かつ組立作業に時間がかかり過ぎ、これはコスト低減にとって不利であり、改善が必要となる。
【課題を解決するための手段】
【０００６】
従来技術に存在する上記の欠点に鑑みて、本考案は部品の簡素化および、速やかな組立を可能にする自動式ペンシル芯モジュールの革新的な構造体を提供する。そして、前記部品が損傷を受けたか、若しくは異常がある場合には、前記自動式ペンシル芯モジュールを速やかに取り外して修理できるので、その生産コストを大幅に削減できる。
【考案の効果】
【０００７】
本考案により提供される前記自動式ペンシル芯モジュールは、押圧式ペンシルシャンク内で組み立てることができ、ペンシル芯は筆記に際して押圧操作により外方へ延伸できる。この場合、主として円筒状接続パイプは底部パイプ内でロックされるねじ部を有し、これによりスプリング、銅バンチング部材、移動可能な爪部機構およびダンパー等をその中で速やかに組み立てることができる。この結果、前記接続パイプへ接続されるペンシル芯パイプを操作中に押し下げることができ、かつ筆記に際して前記ペンシル芯を前記ダンパーから延伸できるようになる。前記接続パイプを前記底部パイプにねじ接続する設計にしているので、内部要素を速やかに組み立てることができ、かつ前記部品が損傷したときには速やかに取り外して修理できる。
【考案を実施するための最良の形態】
【０００８】
添付図面を参照しながら本考案の好ましい実施形態の詳細説明を読めば本考案の構造および効果が明らかになるであろう。
【０００９】
図１から図３までを参照すると、本考案において提供される前記自動式ペンシル芯モジュールは、主としてペンシル芯パイプ１０、移動可能な爪部機構２０、接続パイプ ３０、底部パイプ４０、ゴムプラグ５０およびトップカバー６０から構成される。
【００１０】
前記ペンシル芯パイプ１０は、複数ペンシル芯９１をその中に収容する細長パイプであり(図４参照)、かつその底部に円錐形通路１２をその中に有する縮径部１３を形成する。
【００１１】
前記移動可能な爪部機構２０は、そこを通過してペンシル芯９１を延伸させるための通路２１を有し、その上部に前記ペンシル芯パイプ１０の前記縮径部１３の前記底部内へ延伸するために固定パイプ２２が形成され、かつその下部には爪部 ２３が複数の爪部フインガーを含む。
【００１２】
前記接続パイプ３０は、その底部に縮径外側ねじ部３１を形成する円筒状パイプである。前記縮径外側ねじ部３１は、その底部先端部に銅バンチング部材３２を備え、前記銅バンチング部材３２を使用して前記移動可能な爪部機構２０の前記爪部２３を束にし、かつ前記接続パイプ３０はスプリング３４を収容するための段付き当接３３をその中に含めて形成される。
【００１３】
前記底部パイプ４０は、その上部に前記接続パイプ３０の前記縮径外側ねじ部３１に係合する内側ねじ４１を有し、かつその底部先端部がダンパー４２とともに組み立てられ、前記ダンパー４２内の通路４３が前記ペンシル芯９１にしっかり固定して嵌合する。
【００１４】
さらに、前記ペンシル芯パイプ１０にはその上部先端部に前記ゴムプラグ５０が設けられ前記上部先端部上に設けられたその開口を密封し、かつ前記トップカバー６０が前記ゴムプラグ５０を覆う。
【００１５】
図４を参照すると、本考案の自動式ペンシル芯モジュール全体が押圧式ペンシルシャンク９０内で組み立てられ (図面において一点鎖線で示される)、一方前記ペンシル芯パイプ１０および前記底部パイプ４０は前記押圧式ペンシルシャンク９０内で固定される。
【００１６】
前記ペンシル芯パイプ１０の前記縮径部１３は、前記接続パイプ３０の上部領域内へ延伸して前記 スプリング３４の上部先端部に当接する。図５を参照すると、前記ペンシル芯パイプ１０が押し下げられると、前記スプリング３４を圧縮して前記移動可能な爪部機構２０の前記爪部２３を前記銅バンチング部材３２を基準にして降下させ、これにより前記爪部２３の前記爪部フィンガーが拡開し、一方前記ペンシル芯パイプ１０内のペンシル芯９１が前記ダンパー４２内の前記通路４３内へ落ち込みかつ保持され、こうしてペンシル芯の初回押出し繰り出しが行われる。
【００１７】
前記ペンシル芯パイプ１０にかかっている下向き押圧力が解放されると、スプリング３４の復帰力により前記ペンシル芯パイプ１０が前記可動爪部機構２０を上方へ移動させ図３に示す位置へ戻す。
【００１８】
前記ペンシル芯パイプ１０を数回押し下げることによって、前記ペンシル芯９１を筆記に際して前記ダンパー４２の前記底部先端から延伸できる(図４に示すとおり)。
【００１９】
本考案において提供される前記自動式ペンシル芯モジュールは、前記 接続パイプ３０の前記縮径外側ねじ部３１の前記底部パイプ４０の前記内側ねじ４１との係合作用を主として利用して、前記スプリング３４、前記銅バンチング部材３２、前記移動可能な爪部機構２０および前記 ダンパー ４２をその中で速やかに組み立て可能にさせ、これにより生産における作業時間を削減できる。そして、前記自動式ペンシル芯モジュールの組み立てを間違えたり若しくはその内部部品が損傷を受けた場合には、前記接続パイプ３０を回わして前記底部パイプ４０から切り離すことによりそれを直ぐに取り外して修理することができる。
【００２０】
本考案の構造は、従来技術と対比してより迅速な組立および取外しの効果を有する。
【００２１】
考案者の新規性を持つ前記技術的構造について以上説明したが、考案者が新規であると請求し、かつ日本国実用新案権により保証されることを望む。工業的実用性および改良は請求項に述べるとおりである。
【図面の簡単な説明】
【００２２】
【図１】本考案の外観を示す透視図である。
【図２】本考案の立体分解透視図である。
【図３】本考案の断面図である
【図４】本考案の押圧式ペンシルシャンク内での実用的な組立状況を示す概略断面図である。
【図５】本考案の作用を示す概略断面図である
【符号の説明】
【００２３】
１０：ペンシル芯パイプ
１２：円錐形通路
１３：縮径部
２０：移動可能な爪部機構
２１：通路
２２：固定パイプ
２３：爪部
３０：接続パイプ
３１：縮径外側ねじ部
３２：銅バンチング部材
３３：段付き当接
３４：スプリング
４０：底部パイプ
４１：内側ねじ
４２：ダンパー
４３：通路
５０：ゴムプラグ
６０：トップカバー
９０：押圧式ペンシルシャンク
９１：複数ペンシル芯
【図１】
0003135215.tif 000003
【図２】
0003135215.tif 000004
【図３】
0003135215.tif 000005
【図４】
0003135215.tif 000006
【図５】
0003135215.tif 000007